【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
複数のチャネルが用意されている通信環境下において複数の通信局によりネットワークを形成する無線通信システムであって、
各通信局は、自己の受信に最適となるビーコン送信チャネル上でビーコンを送信するとともに、データ送信先の通信局のビーコン送信チャネルを利用してデータ送信を行なう、
ことを特徴とする無線通信システム。
【請求項２】
各通信局は、自己の受信に最適として決定したビーコン送信チャネル上で既存の局のビーコン送信タイミングが既に設定されている場合には、時間的に重ならないように自己のビーコン送信タイミングを決定する、
ことを特徴とする請求項１に記載の無線通信システム。
【請求項３】
各通信局は、他局のビーコン送信タイミングの到来に伴い該他局のビーコン送信チャネルに移行してビーコンの受信を行なう、
ことを特徴とする請求項１に記載の無線通信システム。
【請求項４】
各通信局は、自局のビーコン送信に伴い優先送信期間を獲得する、
ことを特徴とする請求項１に記載の無線通信システム。
【請求項５】
各通信局は、他局のビーコン送信タイミングに伴い該他局のビーコン送信チャネルに移行してビーコンの受信を行なった後、当該他局に与えられている優先送信期間中であっても、当該他局がデータ送信を行なうチャネル以外のチャネル上でのデータ送信動作が許容される、
ことを特徴とする請求項４に記載の無線通信システム。
【請求項６】
データ送信元の通信局はデータ送信先の通信局のビーコン送信チャネル上で送信要求パケットＲＴＳを送信し、データ送信先の通信局から確認通知パケットＣＴＳを受信したことに応答してデータ送信を開始する、
ことを特徴とする請求項１に記載の無線通信システム。
【請求項７】
データ送信元の通信局は、自局のビーコン送信チャネル上で、データ送信先の通信局とそのビーコン送信チャネルを明記したビーコンを送信し、
該ビーコンを受信した周辺局は所定期間の当該ビーコン送信チャネル上でのデータ送信を差し控える、
ことを特徴とする請求項１に記載の無線通信システム。
【請求項８】
データ送信元の通信局は、自局のビーコン送信チャネルとデータ送信先の通信局のビーコン送信チャネルが一致する場合には、送信要求パケットＲＴＳの送信を省略し、
データ送信先の通信局は、データ送信先の通信局とそのビーコン送信チャネルを明記したビーコンを受信したことに応答して確認通知パケットＣＴＳを送信する、
ことを特徴とする請求項１に記載の無線通信システム。
【請求項９】
複数のチャネルが用意された無線通信環境下で動作する無線通信装置であって、
各チャネルにおいて無線データを送受信する通信手段と、
前記通信手段におけるデータ送受信用のチャネルを設定するチャネル設定手段と、
前記通信手段におけるデータ送受信のタイミングを制御する通信制御手段と、
前記通信手段を介して送信する自局のビーコン信号を生成するビーコン生成手段と、
前記通信手段により受信した周辺局のビーコン信号を解析するビーコン解析手段とを備え、
前記チャネル設定手段は、前記複数のチャネルの中から自己のビーコン送信チャネルを決定するとともに、データ送信時にはデータ送信先の通信局のビーコン送信チャネルをデータ送信チャネルとして設定する、
ことを特徴とする無線通信装置。
【請求項１０】
前記チャネル設定手段は、前記複数のチャネルのうち自局にとって最も通信品質のよい又は受信に適したチャネルを自局のビーコン送信チャネルとして決定する、
ことを特徴とする請求項９に記載の無線通信装置。
【請求項１１】
前記通信制御手段は、自局のビーコン送信チャネル上で既存の局のビーコン送信タイミングが既に設定されている場合には、時間的に重ならないように自己のビーコン送信タイミングを決定する、
ことを特徴とする請求項９に記載の無線通信装置。
【請求項１２】
前記チャネル設定手段は、自局のビーコン送信タイミングが近づいたことに応答して、該自局のビーコン送信チャネルを送信チャネルに設定し、
前記通信制御手段は、該自局のビーコン送信タイミングの到来に応答してビーコン送信動作の制御を行なう、
ことを特徴とする請求項９に記載の無線通信装置。
【請求項１３】
前記チャネル設定手段は、周辺局のビーコン送信タイミングが近づいたことに応答して、該周辺局のビーコン送信チャネルを受信チャネルに設定し、
前記通信制御手段は、該周辺局のビーコン送信タイミングの到来に応答してその受信動作の制御を行なう、
ことを特徴とする請求項９に記載の無線通信装置。
【請求項１４】
前記通信制御手段は、自局のビーコン送信に伴い優先送信期間を獲得する、
ことを特徴とする請求項９に記載の無線通信装置。
【請求項１５】
前記通信制御手段は、他局のビーコン送信タイミングに伴い該他局のビーコン送信チャネルに移行してビーコンの受信を行なった後、当該他局に与えられている優先送信期間中であっても、当該他局がデータ送信を行なうチャネル以外のチャネル上でのデータ送信動作を行なう、
ことを特徴とする請求項１４に記載の無線通信装置。
【請求項１６】
前記通信制御手段は、データ送信先の通信局のビーコン送信チャネル上で送信要求パケットＲＴＳを送信し、データ送信先の通信局から確認通知パケットＣＴＳを受信したことに応答してデータ送信を開始する、
ことを特徴とする請求項９に記載の無線通信装置。
【請求項１７】
前記ビーコン生成手段はデータ送信先の通信局とそのビーコン送信チャネルを明記したビーコンを生成し、
前記通信制御手段は該ビーコンを自局のビーコン送信チャネル上で送信する、
ことを特徴とする請求項９に記載の無線通信装置。
【請求項１８】
前記通信制御手段は、自局のビーコン送信チャネル上で、自局宛の送信要求パケットＲＴＳ又は自局を送信先として明記したビーコンを受信したことに応答して、確認通知パケットを返す、
ことを特徴とする請求項１７に記載の無線通信装置。
【請求項１９】
前記通信制御手段は、他局宛の送信要求パケットＲＴＳ又は他局を送信先として明記したビーコンを受信したことに応答して、当該受信チャネル上で所定時間のデータ送信を差し控える、
ことを特徴とする請求項１７に記載の無線通信装置。
【請求項２０】
複数のチャネルが用意された線通信環境下で動作する無線通信方法であって、
データ送受信用のチャネルを設定するチャネル設定ステップと、
データ送受信のタイミングを制御する通信制御ステップと、
自局のビーコン信号を生成するビーコン生成ステップと、
周辺局からの受信ビーコン信号を解析するビーコン解析ステップとを備え、
前記チャネル設定ステップでは、前記複数のチャネルの中から自己のビーコン送信チャネルを決定するとともに、データ送信時にはデータ送信先の通信局のビーコン送信チャネルをデータ送信チャネルとして決定する、
ことを特徴とする無線通信方法。
【請求項２１】
複数のチャネルが用意された無線通信環境下で動作するための処理をコンピュータ・システム上で実行するようにコンピュータ可読形式で記述されたコンピュータ・プログラムであって、前記コンピュータ・システムに対し、
データ送受信用のチャネルを設定するチャネル設定手順と、
データ送受信のタイミングを制御する通信制御手順と、
自局のビーコン信号を生成するビーコン生成手順と、
周辺局からの受信ビーコン信号を解析するビーコン解析手順を実行させ、
前記チャネル設定手順では、前記複数のチャネルの中から自己のビーコン送信チャネルを決定するとともに、データ送信時にはデータ送信先の通信局のビーコン送信チャネルをデータ送信チャネルとして決定する、
ことを特徴とするコンピュータ・プログラム。